(57)【特許請求の範囲】
【請求項１】
軒天材の端部を支持するとともに外壁に取り付けられる軒天材の支持金具であって、
前記外壁に当接する鉛直部及びこの鉛直部の上下両端部にそれぞれ設けられた水平部を有するとともに前記軒天材の端部を保持する断面コ字状部と、この断面コ字状部に設けられるとともに前記断面コ字状部を前記外壁に取り付ける取付部とを備え、この取付部は、前記断面コ字状部の上方に位置する水平部の開口側端部に一体形成される鉛直片部と、この鉛直片部に一体に形成された水平片部と、この水平片部に一体形成され前記外壁に取り付けるための取付片部とを有し、前記断面コ字状部の前記水平部に換気口が形成され、前記断面コ字状部の前記鉛直部に、加熱されることで体積が膨張して前記換気口を閉塞する熱発泡材が設けられていることを特徴とする軒天材の支持金具。
【請求項２】
軒天材の端部を支持するとともに外壁に取り付けられる軒天材の支持金具であって、
前記外壁に当接する鉛直部及びこの鉛直部の上下両端部にそれぞれ設けられた水平部を有するとともに前記軒天材の端部を保持する断面コ字状部と、この断面コ字状部に設けられるとともに前記断面コ字状部を前記外壁に取り付ける取付部とを備え、この取付部は、前記断面コ字状部の上方に位置する水平部の開口側端部に一体形成される鉛直片部と、この鉛直片部に一体に形成された水平片部と、この水平片部に一体形成され前記外壁に取り付けるための取付片部とを有し、前記取付部の前記水平片部に換気口が形成され、前記取付部の前記鉛直片部であって前記外壁と対向する面に、加熱されることで体積が膨張して前記換気口を閉塞する熱発泡材が設けられ、前記鉛直片部であって前記外壁と対向する面とは反対側の面は前記軒天材を支持する支持フレームに設けられた枠体と当接することを特徴とする軒天材の支持金具。
【請求項３】
請求項１又は請求項２に記載された軒天材の支持金具において、
前記取付部の前記取付片部の上端には水返し部が設けられていることを特徴とする軒天材の支持金具。
【請求項４】
請求項２又は請求項３に記載された軒天材の支持金具を用いて前記軒天材を前記外壁に支持する構造であって、
前記外壁は、前記取付部の取付片部が取り付けられる平面部と、この平面部より隆起され前記断面コ字状部の前記鉛直部に当接する凸部と、前記鉛直部との間で換気部を形成するために前記鉛直部から離隔される凹部とを有することを特徴とする軒天材の支持構造。
【発明の詳細な説明】
【技術分野】
【０００１】
本発明は、軒天材の端部を支持するとともに外壁に取り付けられる軒天材の支持金具及び支持構造に関する。
【背景技術】
【０００２】
屋根の軒先には軒天材が配置されることが多い。この軒天材は、その一端部が支持金具で外壁に支持されており、かつ、小屋裏と外部との換気を行うための換気口が形成されている。
軒天材の支持構造の従来例として、軒天井板の端部を断面コ字型の換気見切縁で支持し、このコ字型の換気見切縁の互いに対向する２片に建物外部と小屋裏との間を換気する換気口をそれぞれ形成し、換気見切縁を軒天下地材に釘で固定する軒天材の支持構造がある（特許文献１）。
【０００３】
別の従来例として、軒天板を支持する断面略コ字型の支持金具を壁面に釘で固定し、この支持金具の下方の水平部に換気口を形成するとともに、この換気口の近傍に不燃性体積膨張材（熱発泡材）を取り付けた軒天材の支持構造がある（特許文献２）。
【０００４】
【特許文献１】実願昭61-75616号（実開昭62-187111号公報）のマイクロフィルム
【特許文献２】特開平6-73828号公報
【発明の開示】
【発明が解決しようとする課題】
【０００５】
しかし、特許文献１で示される従来例では、防火対策が十分ではない。例えば、隣家で火事が発生すると、その火炎や熱風が軒先の換気口を通って小屋裏内に伝わる恐れがあり、その上、断面コ字型の換気見切材と軒天下地材とが釘で固定されているので、火事に際して、軒天井材がコ字型の換気見切材とともに脱落し、火事の被害がより大きくなるという課題がある。
特許文献２で示される従来例では、火事が発生した場合には、熱発泡材が膨張することで換気口が閉塞されるので、延焼を抑えることができるが、熱発泡材がコ字型の支持金具の下片部に設けられているので、熱発泡材が膨張するためのスペースを予め設けていなければならず、支持金具の厚み方向の寸法が大きくなって大型化するという課題がある。
【０００６】
本発明の目的は、火事に伴う軒天材の脱落を防止できるとともに、小型化を図ることができる軒天材の支持金具及び支持構造を提供することにある。
【課題を解決するための手段】
【０００７】
本発明の軒天材の支持金具は、図面を参照して説明すると、軒天材６の端部を支持するとともに外壁３に取り付けられる軒天材の支持金具７，２７，３７であって、前記外壁に当接する鉛直部７１１及びこの鉛直部の上下両端部にそれぞれ設けられた水平部７１２を有するとともに前記軒天材の端部を保持する断面コ字状部７１と、この断面コ字状部に設けられるとともに前記断面コ字状部を前記外壁に取り付ける取付部７２，７２Ａとを備え、この取付部は、前記断面コ字状部の上方に位置する水平部の開口側端部に一体形成される鉛直片部７２１，７２１Ａと、この鉛直片部に一体に形成された水平片部７２２，７２２Ａと、この水平片部に一体形成され前記外壁に取り付けるための取付片部７２３，７２３Ａとを有し、前記断面コ字状部の前記水平部に換気口７Ａが形成され、前記断面コ字状部の前記鉛直部に、加熱されることで体積が膨張して前記換気口を閉塞する熱発泡材８が設けられていることを特徴とする。
この構成の発明では、断面コ字状部と取付部とが一体化されているから、火事に際して支持金具が加熱されても、断面コ字状部が取付部から離脱せず、軒天材の脱落を防止できる。そのため、建物延焼を防止することができる。
そして、熱発泡材は前記断面コ字状部の前記鉛直部に設けられているから、膨張時に水平方向に延びるように熱発泡材が設計されることで、支持金具の上下方向の省スペース化が図れる。
しかも、鉛直部に設けられた熱発泡材は、その膨張時には、鉛直部の上下端部に接続される水平部に上下方向の移動が規制されるため、水平部に形成される換気口を確実に閉塞することができ、優れた防火効果を奏することができる。
【０００９】
本発明の軒天材の支持金具は、軒天材６の端部を支持するとともに外壁３に取り付けられる軒天材の支持金具７，２７，３７であって、前記外壁に当接する鉛直部７１１及びこの鉛直部の上下両端部にそれぞれ設けられた水平部７１２を有するとともに前記軒天材の端部を保持する断面コ字状部７１と、この断面コ字状部に設けられるとともに前記断面コ字状部を前記外壁に取り付ける取付部７２，７２Ａとを備え、この取付部は、前記断面コ字状部の上方に位置する水平部の開口側端部に一体形成される鉛直片部７２１，７２１Ａと、この鉛直片部に一体に形成された水平片部７２２，７２２Ａと、この水平片部に一体形成され前記外壁に取り付けるための取付片部７２３，７２３Ａとを有し、前記取付部の前記水平片部に換気口７Ａが形成され、前記取付部の前記鉛直片部であって前記外壁と対向する面に、加熱されることで体積が膨張して前記換気口を閉塞する熱発泡材８が設けられ、前記鉛直片部であって前記外壁と対向する面とは反対側の面は前記軒天材を支持する支持フレームに設けられた枠体と当接することを特徴とする。
この構成の発明では、鉛直片部と外壁との間には予め隙間が形成されるため、この隙間に熱発泡材を配置することができるので、支持金具をより小型化することができる。しかも、断面コ字状部の水平部に換気口を形成しなくてもよいから、軒天材の断面コ字状部への差し込み量を自由に設定することができ、軒天材の取付作業を容易なものにできる。
【００１０】
前記取付部の前記取付片部の上端には水返し部７２４が設けられている構成が好ましい。
この構成の発明では、雨水が小屋裏に吹き込もうとしても、これを水切り部が阻止して小屋裏への雨水の浸入を阻止できる。
【００１１】
本発明の軒天井の支持構造は、前述の構造の軒天材の支持金具のうち前記換気口は前記断面コ字状部の前記水平部に形成され、前記熱発泡材は前記断面コ字状部の前記鉛直部に設けられる構造の支持金具を用いて前記軒天材を前記外壁に支持する構造であって、前記外壁は、前記取付部の取付片部が取り付けられる平面部３Ａと、この平面部より隆起され前記断面コ字状部の前記鉛直部に当接する凸部３Ｂと、前記鉛直部との間で換気部を形成するために前記鉛直部から離隔される凹部３Ｃとを有することを特徴とする。
この構成の発明では、前述の効果を奏することができる他、外壁の表面が凹凸形状であるため、断面コ字状部に換気口を形成しなくてもよいから、支持金具の外観を良好なものにできる。
【発明を実施するための最良の形態】
【００１２】
以下に、本発明の実施形態を図面に基づいて説明する。図１から図３には本発明の第１実施形態が示されている。
図１には第１実施形態にかかる軒天材の支持構造の全体構成が示されている。
図１において、傾斜屋根１が建物本体２に設けられている。この建物本体２はその外周部に外壁３を有するものであり、外壁３の上方近傍にはブラケット４を介して傾斜屋根１が支持されている。建物本体２は梁及び柱から直方体状の骨組みが形成される建物ユニットを複数組み合わせて建てるユニット式建物でもよく、パネルを複数組み合わせて建てるパネル工法による建物でもよく、さらには、在来工法でもよい。
【００１３】
傾斜屋根１は傾斜して配置される屋根パネル１１の上に屋根材１２が配置された構造であり、屋根パネル１１の下端部には横樋１３が取り付けられている。
屋根パネル１１は屋根流れ方向に沿って配置される縦枠１１Ａと、この縦枠１１Ａに直交配置される横枠１１Ｂと、これらの縦枠１１Ａ及び横枠１１Ｂの上面に貼り付けられた面材１１Ｃとを有する。
縦枠１１Ａの下端側と上端側とにはそれぞれ支持フレーム５１，５２の上端部が取り付けられ、これらの支持フレーム５１，５２の下端部には枠体５３を介して平板状の軒天材６が取り付けられている。支持フレーム５１，５２にはそれぞれ面材５４が釘で取り付けられている。また、軒天材６は枠体５３に釘で固定されている（図２参照）。
枠体５３は、その端縁が軒天材６の端縁より内側にオフセットされるように配置されている。
軒天材６は建物側端部が外壁３に略水平に沿って設けられた支持金具７に支持されており、軒先側端部が支持ブラケット６０に支持されている。この支持ブラケット６０は軒天材６の端部を支持できるように断面コ字状に形成され、その上端部が枠体５３に固定されている。
【００１４】
支持金具７の詳細な構造が図２及び図３に示されている。図２は、軒天材の支持構造の要部を示す断面図であり、図３は支持金具７が外壁３に取り付けられた状態を示す正面図である。
図２及び図３において、支持金具７は長尺状の金属製板材を折り曲げて形成されたものであり、軒天材６の端部を保持する断面コ字状部７１と、この断面コ字状部７１を外壁３の上端部に取り付ける取付部７２とが一体に形成された構造である。
断面コ字状部７１は、外壁３の一部に当接する鉛直部７１１と、この鉛直部７１１の上下両端部にそれぞれ設けられた水平部７１２とを有し、これらの水平部７１２の略中央部まで軒天材６の端縁が差し込まれている。水平部７１２は上下に対向配置されており、このうち下部に配置された水平部７１２の端部は断面コ字状部７１の開口部奥側に向けて折り返されている。
【００１５】
取付部７２は、上方の水平部７１２の開口側端部に一体形成される鉛直片部７２１と、この鉛直片部７２１に一体に形成された水平片部７２２と、この水平片部７２２に一体形成される取付片部７２３と、この取付片部７２３の上端に設けられた水返し部７２４とを有する。
取付片部７２３は間に板状の封止部材７２５を挟んで外壁３に対向配置されており、その状態で、釘９で外壁３に固定されている。この釘９は支持金具７の長手方向に沿って複数配置されている。
水平片部７２２と鉛直片部７２１と上方の水平部７１２とで断面コ字状に形成されており、この断面コ字状部分の内部空間Ｓ１と水平片部７２２を挟んで上方側であって小屋裏に連通する空間Ｓ２とを連通する換気口７Ａが水平片部７２２に形成されている。
鉛直片部７２１は断面コ字状部分の内部空間Ｓ１と対向する面に熱発泡材８が設けられ、断面コ字状部分の内部空間Ｓ１とは反対側の面は枠体５３に当接されている。
熱発泡材８は、加熱されることで換気口７Ａを閉塞するまで体積が膨張する（想像線参照）ものであり、その材質は、例えば、グラファイト系材料からなり、具体的にはカットシートＧ（アスク社製）等を用いることができる。この熱発泡材８は、約２００度以上に熱せられると発泡し、例えば２〜３mm厚の塗布で約１５〜２０倍に膨張する。
【００１６】
外壁３は、外壁パネルが複数枚並んで形成されるものであり、各パネル毎あるいは隣り合うパネルを跨いで支持金具７が水平方向に配置される。
外壁３は、取付部７２の取付片部７２３が取り付けられる平面部３Ａと、この平面部３Ａより下方にそれぞれ形成された凸部３Ｂ及び凹部３Ｃとを有する。凹部３Ｃと平面部３Ａとは略同一面とされ、凸部３Ｂは平面部３Ａ及び凹部３Ｃの底面より隆起され、その平面矩形状の頂部が断面コ字状部７１の鉛直部７１１に当接する。そして、凸部３Ｂは、互いに所定間隔離れて上下左右に配置され、これらの凸部３Ｂの間に凹部３Ｃが十字状に形成される。なお、本実施形態では、凸部３Ｂと凹部３Ｃとがそれぞれ上下に延びて形成されるストライプ形状でもよい。
凹部３Ｃと鉛直部７１１との間で上下に形成される隙間は換気部Ｐであり、この換気部Ｐは建物の外部空間と内部空間Ｓ１とを連通する。
【００１７】
この構成の軒天材の支持構造では、通常、小屋裏に連通する空間Ｓ２と外部空間とが支持金具７に形成された換気口７Ａ、内部空間Ｓ１及び換気部Ｐを通じて連通されているため、小屋裏の換気が行える。
ここで、火事によって軒天が加熱されると、軒天材６を支持する支持金具７が高温となる。すると、熱発泡材８が加熱されて膨張して換気口７Ａを閉塞し、小屋裏に連通する空間Ｓ２と外部空間との連通が阻止され、延焼が防止される。
支持金具７は、軒天材６の端部を支持する断面コ字状部７１と外壁３に取り付けられる取付部７２とが一体であり、軒天材６は枠体５３から脱落しない。
【００１８】
従って、第１実施形態では、次の作用効果を奏することができる。
（１）外壁３に当接する鉛直部７１１の両端部に水平部７１２がそれぞれ設けられ軒天材６の端部を保持する断面コ字状部７１と、この断面コ字状部７１に一体に形成される鉛直片部７２１に換気口７Ａを有する水平片部７２２が一体形成されるとともに水平片部７２２に取付片部７２３が一体形成される取付部７２とを備えて支持金具７を構成した。そのため、断面コ字状部７１と取付部７２とが一体化されているから、火事に際して支持金具７が加熱されても、断面コ字状部７１が取付部７２から離脱せず、軒天材６の脱落を防止できる。その上、加熱されることで体積が膨張して換気口７Ａを閉塞する熱発泡材８が支持金具７に設けられているから、熱発泡材８が膨張時に水平方向に延びることで換気口７Ａを閉塞するようにしているから、支持金具７の上下方向の省スペース化が図れ、金具の小型化を達成することができる。
【００１９】
（２）換気口７Ａは取付部７２の水平片部７２２に形成され、熱発泡材８は取付部７２の鉛直片部７２１に設けられる。そのため、鉛直片部７２１と外壁３との間に予め形成される隙間を利用して熱発泡材８を配置することができるので、支持金具７をより小型化することができる。
しかも、断面コ字状部７１の水平部７１２に換気口を形成しなくてもよいから、軒天材６の断面コ字状部７１への差し込み量を自由に設定することができ、軒天材の取付作業を容易なものにできる。
【００２０】
（３）取付部７２の取付片部７２３の上端には水返し部７２４が設けられているから、雨水が小屋裏に吹き込もうとしても、水返し部７２４で阻止されて小屋裏への浸入を阻止できる。
【００２１】
（４）断面コ字状部７１の下方の水平部７１２には折り返し部が形成されているので、端縁が剥き出しにされないから、軒天材６の断面コ字状部７１への差し込み作業を安全に行うことができる。
【００２２】
（５）外壁３は、取付部７２が取り付けられる平面部３Ａと、この平面部３Ａより隆起され断面コ字状部７１の鉛直部７１１に当接する凸部３Ｂと、鉛直部７１１との間で換気部Ｐを形成するために鉛直部７１１から離隔される凹部３Ｃとを有する構成であるため、断面コ字状部７１に換気口を形成しなくてもよいから、支持金具７の外観を良好なものにできる。
【００２３】
次に、本発明の第２実施形態を図４に基づいて説明する。
第２実施形態は熱発泡材８の取付箇所及び換気口７Ａの形成箇所が第１実施形態と相違するものであり、他の構成は第１実施形態と同じである。ここで、第２実施形態の説明において第１実施形態と同一の構成要素は同一符号を付して説明を省略する。
図４は第２実施形態の軒天材の支持構造の要部を示すものであり、図２に対応する断面図である。
図４において、軒天材６は建物側端部が外壁３に略水平に沿って設けられた支持金具２７に支持されている。
【００２４】
支持金具２７は、長尺状の金属製板材を折り曲げて形成されたものであり、軒天材６の端部を保持する断面コ字状部７１と、この断面コ字状部７１を外壁３の上端部に取り付ける取付部７２とが一体形成された構造である。
断面コ字状部７１は、外壁３の凸部３Ｂの頂部に当接する鉛直部７１１と、この鉛直部７１１の上下両端部にそれぞれ設けられた水平部７１２とを有し、これらの水平部７１２には第１実施形態とは異なり、換気口７Ａがそれぞれ形成されている。そして、鉛直部７１１の軒天材６の端面と対向する部分には熱発泡材８が設けられている。
この熱発泡材８は、加熱されることで水平部７１２に形成された換気口７Ａを閉塞するまで体積が膨張する（想像線参照）。
取付部７２は、第１実施形態と同じ構造であり、鉛直片部７２１、水平片部７２２、取付片部７２３及び水返し部７２４を有し、鉛直片部７２１は断面コ字状部分の内部空間Ｓ１と対向する面に熱発泡材８が設けられている。
【００２５】
従って、第２実施形態では第１実施形態の（１）（３）（４）と同様の効果を奏することができる他、次の作用効果を奏することができる。
（６）換気口７Ａは断面コ字状部７１の水平部７１２に形成され、熱発泡材８は断面コ字状部７１の鉛直部７１１に設けられる。そのため、鉛直部７１１に設けられた熱発泡材８は、その膨張時には、上下に配置される水平部７１２で上下方向の移動が規制されるため、水平部７１２に形成される換気口７Ａを確実に閉塞することができ、優れた防火効果を奏することができる。
【００２６】
（７）換気口７Ａは水平片部７２２及び水平部７１２に形成され、かつ、熱発泡材８は鉛直片部７２１及び鉛直部７１１にそれぞれ設けられているから、小屋裏と建物外部との通気を確実に行うことができるとともに、火事に際してこれら空間の連通を確実の阻止することができる。
【００２７】
次に、本発明の第３実施形態を図５に基づいて説明する。
第３実施形態は熱発泡材８の取付箇所、換気口７Ａの形成箇所及び外壁３の形状が前記実施形態と相違するものであり、他の構成は前記実施形態と同じである。ここで、第３実施形態の説明において前記各実施形態と同一の構成要素は同一符号を付して説明を省略する。
図５は第３実施形態にかかる軒天材の支持構造の要部を示すものであり、図２に対応する断面図である。
【００２８】
図５において、軒天材６は建物側端部が外壁３に略水平に沿って設けられた支持金具３７に支持されている。
支持金具３７は、軒天材６の端部を保持する断面コ字状部７１と、この断面コ字状部７１を外壁３の上端部に取り付ける取付部７２Ａとが一体形成された構造である。
断面コ字状部７１は、第２実施形態の断面コ字状部７１と同じ構造であり、鉛直部７１１の軒天材６の端面と対向する部分に熱発泡材８が設けられている。
取付部７２Ａは、前記実施形態とは異なり、上方の水平部７１２の長手方向に沿った所定箇所に互いに等間隔に配置されており、隣り合う取付部７２Ａの間の隙間は内部空間Ｓ１と内部空間Ｓ２とを連通するための空間とされる。
【００２９】
取付部７２Ａは、水平部７１２に一体に形成された鉛直片部７２１Ａと、この鉛直片部７２１Ａに直交して折り曲げて形成された水平片部７２２Ａと、この水平片部７２２Ａに直交して折り曲げ形成された取付片部７２３Ａとを有するものであり、この取付片部７２３Ａが釘９で外壁３に取り付けられている。
外壁３は、凹部と凸部とを交互に形成する前記実施形態とは異なり、平らな表面が形成され、その表面には断面コ字状部７１の鉛直部７１１が全面に渡って当接される。
【００３０】
従って、第３実施形態では第１実施形態の（１）（４）と同様の効果を奏することができる他、次の作用効果を奏することができる。
（８）取付部７２Ａを複数設け、隣り合う取付部７２Ａの間を小屋裏と建物外部とを連通する空間としたから、取付片部に開口部を形成する手間が省ける。
【００３１】
なお、本発明は前記実施形態に限定されるものではなく、本発明の目的を達成できる範囲での変形、改良等は本発明に含まれるものである。
例えば、前記各実施形態では、断面コ字状部７１の下方の水平部７１２に折り返し部を形成したが、本発明では、必ずしも折り返し部を形成することを要しない。
【産業上の利用可能性】
【００３２】
本発明は、種々の工法で施工される建物に利用できる。
【図面の簡単な説明】
【００３３】
【図１】本発明の第１実施形態にかかる軒天材の支持構造の全体構成を示す断面図。
【図２】第１実施形態の軒天材の支持構造の要部を示す断面図。
【図３】支持金具が外壁に取り付けられた状態を示す正面図。
【図４】本発明の第２実施形態にかかる軒天材の支持構造の要部を示すもので図２と対応する断面図。
【図５】本発明の第３実施形態にかかる軒天材の支持構造の要部を示すもので図２に対応する断面図である。
【符号の説明】
【００３４】
１…傾斜屋根、２…建物本体、３…外壁、３Ｂ…凸部、３Ｃ…凹部、６…軒天材、７，２７，３７…支持金具、７Ａ…換気口、７１…断面コ字状部、７１１…鉛直部、７１２…水平部、７２，７２Ａ…取付部、７２１，７２１Ａ…鉛直片部、７２２，７２２Ａ…水平片部、７２３，７２３Ａ…取付片部、７２４…水返し部、８…熱発泡材
【図１】
0005133725.tif 000002
【図２】
0005133725.tif 000003
【図３】
0005133725.tif 000004
【図４】
0005133725.tif 000005
【図５】
0005133725.tif 000006